(57)【要約】【課題】紫外線照射装置を精度よく冷却し、安定してインクを硬化させることのできるインクジェットプリンタを提供する。【解決手段】紫外線硬化型インクを記録媒体上に吐出するノズル４１，４１…を有する記録ヘッド４，４…と、記録媒体Ｐに前記インクが着弾後に紫外線を照射する紫外線光源５１，５１を光源保持部材５２，５２によって保持する紫外線照射装置５，５と、を有するインクジェットプリンタ１において、光源保持部材５２，５２に接触して紫外線光源５１，５１を直接冷却する冷却装置としてペルチェ素子６，６を備えた。【選択図】      図１
2004237603.tif 000002
【特許請求の範囲】
【請求項１】
光硬化型インクを記録媒体上に吐出するノズルを有する記録ヘッドと、前記記録媒体に前記インクが着弾後に前記インクを硬化させる波長を含む光源を光源保持部材によって保持する光照射装置と、を有するインクジェットプリンタにおいて、
前記光源保持部材に接触して前記照射装置を直接冷却する冷却装置を備えたことを特徴とするインクジェットプリンタ。
【請求項２】
前記冷却装置は、ペルチェ素子であることを特徴とする請求項１に記載のインクジェットプリンタ。
【請求項３】
前記光源保持部材は、前記光源から照射された光を集光させるための光源集光部材を有することを特徴とする請求項１又は２に記載のインクジェットプリンタ。
【請求項４】
前記光源保持部材は、前記光源から照射された光を集光させるための光源集光部材であることを特徴とする請求項１から３のいずれか一項に記載のインクジェットプリンタ。
【請求項５】
前記インクは、紫外線硬化型のインクであることを特徴とする請求項１から４のいずれか一項に記載のインクジェットプリンタ。
【請求項６】
前記インクは、カチオン重合系のインクであることを特徴とする請求項１から５のいずれか一項に記載のインクジェットプリンタ。
【発明の詳細な説明】
【０００１】
【発明の属する技術分野】
本発明は、インクジェットプリンタに係り、特に、光源を冷却する手段を有するインクジェットプリンタに関するものである。
【０００２】
【従来の技術】
一般に、様々な記録媒体に印刷可能な画像記録手段として、主にグラビア印刷方式、フレキソ印刷方式が知られている。これらの印刷方式は、版面に形成された凹部にインクを入れこれを記録媒体に直接転写する印刷方式であるが、色彩豊かに文字、記号及び絵等を表現できること、多量の記録媒体に高速印刷できること等がその特徴となっている。特に近時は様々な包装材に対して印刷することが行われ、このような場合にグラビア印刷方式やフレキソ印刷方式は有用な印刷技術であるといえる。しかし、これらの印刷方式は実際に印刷を行う前工程において版を作製する製版工程を経ることが必要であり、この版作製のためにコスト及び時間がかかる。そこで、少量多品種の印刷を行う場合には、版を必要とせず、透明又は不透明の包装材に対し臨機応変に対応して印刷できる手段が望まれる。
【０００３】
この点、様々な記録媒体に対して印刷を行うことのできる手段として、従来よりインクジェットプリンタが知られている。インクジェットプリンタは、記録ヘッドの記録媒体に対向する面に設けられたノズルからインクを吐出して記録媒体上に着弾、定着させることにより記録媒体に画像を記録するものであり、製版工程を必要としないため需要に応じた印刷が可能であるという長所がある。
さらに、樹脂フィルム等のインク吸収性の乏しい記録媒体に対しても画像を形成することのできる手段として、従来から光硬化型のインクジェットプリンタが知られている（例えば、特許文献１参照）。これは、光に対して所定の感度を有する光開始剤が含有された光硬化インクを用い、記録媒体上に着弾したインクに光を照射することで、インクを硬化させ記録媒体上に定着させるものであり、透明又は不透明の包装材に対しても簡易に印刷を行うことが可能である。
【０００４】
そして、このような光硬化型のインクジェットプリンタで用いられるインクとしては、従来ラジカル重合系の紫外線硬化インクが知られている。しかし、ラジカル重合系インクを硬化させるためには多量の紫外線を一括して照射する必要がある。そのため、紫外線照射装置は長大化せざるを得ず、装置コストの上昇及びプリンタ自体の大型化を招くという不利益がある。そこで、近時低照度の光でも硬化する性質を有するカチオン重合系の紫外線硬化インクを用いることが提案されている。
【０００５】
【特許文献１】
特開２００１−３１０４５４号公報
【０００６】
【発明が解決しようとする課題】
しかしながら、光硬化型のインクジェットプリンタの場合、画像記録を連続して行ううちに光照射装置が発熱し、４０℃〜５０℃の高温となる。特に光源としてＬＥＤ素子等を用いた場合には、光照射装置の温度が１００℃前後にまで上昇する。そのため、この発熱によって光照射装置の光源寿命の低下や照度の低下を招くという問題がある。
一方、前述のようにカチオン重合系のインクは光源として低圧水銀ランプや蛍光管、ＬＥＤ等の低照度の光源によって硬化させることができるという特性を有するが、このようなカチオン重合系のインクを用いる場合には、照射される光量のわずかな変化によってもインク硬化の度合いが変化しやすい。そのため、光照射装置の発熱による光源の照度の低下は、カチオン重合系のインクを用いたインクジェットプリンタにおいて安定した画像記録を行う上で特に問題となる。
また、ＬＥＤ素子等は、周囲環境によって光源の波長が変化しやすいため、ＬＥＤ素子等を光源として用いた場合には、光照射装置の発熱がインクの硬化反応に影響を及ぼすおそれもある。
そのため、安定してインクを硬化させ高品質の画像記録を行うためには、光照射装置の温度を３０℃前後の常温に保つことが望まれる。
【０００７】
この点、従来は、排気ダクトからの自然放熱を利用する等の手段によりプリンタ全体を冷却するインクジェットプリンタが知られていたが、光照射装置を直接冷却する手段は有していなかった。
しかし、プリンタ全体を冷却しても光照射装置自体から発生した熱を十分に除去することは困難であり、さらに、このような自然放熱を利用する場合には使用環境や印刷動作の速度等によって冷却の効果が左右されるため、一定の効果を得ることができない。そのため、光源寿命が低下したり光源の照射光量が変動する等の問題を生じていた。
【０００８】
そこで、本発明は以上のような課題を解決すべくなされたものであり、光照射装置を精度よく冷却し、安定してインクを硬化させることのできるインクジェットプリンタを提供することを目的とするものである。
【０００９】
【課題を解決するための手段】
上記課題を解決するため、請求項１に記載の発明は、光硬化型インクを記録媒体上に吐出するノズルを有する記録ヘッドと、前記記録媒体に前記インクが着弾後に光を照射する光源を光源保持部材によって保持する光照射装置と、を有するインクジェットプリンタにおいて、
前記光源保持部材に接触して前記光源を直接冷却する冷却装置を備えたことを特徴としている。
【００１０】
このような構成を有する請求項１に記載の発明においては、冷却装置を光照射装置に直接接するように設けて光源を冷却するものであるため、プリンタの使用環境や印刷動作の速度等によって冷却の効果が左右されることがなく、光照射装置の温度を一定の保つことができる点で優れている。
【００１１】
また、請求項２に記載の発明において、前記冷却装置はペルチェ素子であることを特徴としている。
【００１２】
このように、請求項２に記載の発明は、冷却装置としてペルチェ素子を用いるので、光照射装置の温度に応じて冷却の程度を制御を行うことができる。したがって、精度の高い温度管理が可能となり、光照射装置の温度を一定に保つことができる点で優れている。
【００１３】
さらに、請求項３に記載の発明において、前記光源保持部材は、前記光源から照射された光を集光させるための光源集光部材を有することを特徴としている。
【００１４】
このように、請求項３に記載の発明は、光源保持部材が光源集光部材を有しているので、光源から照射された光が拡散するのを防止することが可能である。
【００１５】
さらに、請求項４に記載の発明において、前記光源保持部材は、前記光源から照射された光を集光させるための光源集光部材であることを特徴としている。
【００１６】
このように、請求項４に記載の発明は、光源集光部材が光源保持部材が兼ねる構成をとるので、装置構造を簡素化することができ、光照射装置を搭載するキャリッジの軽量化を図ることができる点で優れている。
【００１７】
さらに、請求項５に記載の発明において、前記インクは、紫外線硬化型のインクであることを特徴としている。
【００１８】
このように、請求項５に記載の発明は、紫外線を照射することによって硬化する特性を有するインクを使用するため、透明又は不透明の包装材に対しても簡易に高品質の印刷を行うことが可能である。
【００１９】
さらに、請求項６に記載の発明において、前記インクは、カチオン重合系のインクであることを特徴としている。
【００２０】
このように、請求項６に記載の発明は、低照度の紫外線を照射することにより記録媒体上に硬化、定着させることのできるカチオン重合系のインクを用いる場合でも、プリンタの使用環境等に影響されることなく安定した画像記録を行うことができる。
【００２１】
【発明の実施の形態】
以下、添付図面を参照しつつ本発明の実施の形態について説明する。
まず、図１に示すように、本実施の形態において、インクジェットプリンタ１はシリアルプリント方式によるインクジェットプリンタ１であり、このインクジェットプリンタ１には、主走査方向Ｘに延在する棒状のガイドレール３が設けられている。このガイドレール３にはキャリッジ２が支持されており、このキャリッジ２は、キャリッジ駆動機構１２（図５参照）によって主走査方向Ｘをガイドレール３に沿って往復移動するようになっている。
【００２２】
キャリッジ２には、イエロー（Ｙ）、マゼンタ（Ｍ）、シアン（Ｃ）、ブラック（Ｋ）の各色のインクを吐出するノズル４１，４１…が設けられた記録ヘッド４，４…が搭載されている。各記録ヘッド４には、各色のインクを貯留する中間タンク９が、それぞれインク供給管８を介して連通されている。
【００２３】
また、キャリッジ２内であって、これら一群として設けられた記録ヘッド４の主走査方向Ｘにおける両側部には、ノズル４１，４１…から記録媒体Ｐに吐出されたインクに対して紫外線を照射する紫外線照射装置５，５が設けられている。
【００２４】
紫外線照射装置５，５は、記録媒体Ｐ側に向かって開口する箱型に形成された光源保持部材５２，５２を有しており、この光源保持部材５２，５２の上面であって記録媒体Ｐの記録面に対してほぼ平行に形成された面には、記録媒体Ｐ上に着弾した紫外線硬化インクを硬化定着させる紫外線を照射する棒状の紫外線光源５１が複数設けられており、光源保持部材５２，５２によって保持されている。
各々の紫外線光源５１は互いの長手方向が平行となるように配設されており、この紫外線光源５１，５１は、記録ヘッド４，４…の副走査方向Ｙの長さとほぼ等しい長さを有している。
【００２５】
また、前記光源保持部材５２，５２の内側面には、紫外線光源５１，５１から拡散して照射された紫外線を反射させ、集光させる光源集光部材５３，５３が設けられている。光源集光部材５３，５３としては、例えば、全波長域に亘って紫外線を効率良く反射する高純度のアルミ製の反射板が適用される。特に、アルミを主に含有する金属化合物の薄膜をガラス表面に蒸着させたコールドミラー（ガラス成形板）は、紫外線を効率良く反射する一方で、インクの硬化に寄与しない可視光線及び赤外線をミラー後方に透過させることで、紫外線光源５１，５１の発熱による発光効率低下を抑制することができるため、好ましい。
【００２６】
なお、本実施の形態においては、紫外線光源５１，５１を保持する光源保持部材５２，５２の内側面に光源集光部材５３，５３を設けるものとしたが、紫外線光源５１を保持する光源保持部材５２，５２が光源集光部材５３，５３を有する構成としてもよい。
【００２７】
光源保持部材５２，５２の上面であって紫外線光源５１，５１が設けられている側と反対の面には、冷却装置としてのペルチェ素子６，６が冷却面を紫外線照射装置５，５の光源保持部材５２，５２に接するように配置されている。
【００２８】
前記紫外線照射装置５，５の光源保持部材５２，５２の上面であって前記ペルチェ素子６，６の近傍には、光源保持部材５２，５２の温度を検知するための温度センサ７，７が設けられている。
【００２９】
また、インクジェットプリンタ１には、記録媒体Ｐを主走査方向Ｘと直交する副走査方向Ｙに送るための記録媒体搬送機構１３（図５参照）が設けられている。記録媒体搬送機構１３は、例えば、図示しない搬送モータ及び搬送ローラ等を備えており、搬送モータの駆動により搬送ローラを回転させることで記録媒体Ｐを副走査方向Ｙに搬送するようになっている。また、記録媒体搬送機構１３は、画像記録時において、キャリッジ２の動作に合わせて、記録媒体Ｐの搬送と停止とを繰り返し記録媒体Ｐを間欠的に搬送する。
【００３０】
また、キャリッジ２の下方には、記録媒体Ｐを非記録面から支持するプラテン１０が設けられている。このプラテン１０は、平板状の部材で構成されている。
【００３１】
次に、本実施の形態において、インクジェットプリンタ１には、図５に示すように、キャリッジ駆動機構１２、記録媒体搬送機構１３、記録ヘッド４，４…、紫外線照射装置５，５及び冷却装置としてのペルチェ素子６，６を制御する制御部１００が設けられている。
【００３２】
制御部１００は、キャリッジ２を主走査方向Ｘに往復移動させるとともに、キャリッジ２の動作に合わせて記録媒体Ｐの搬送と停止とを繰り返し、記録媒体Ｐを間欠的に副走査方向Ｙに搬送させるように、キャリッジ駆動機構１２及び記録媒体搬送機構１３の動作を制御するようになっている。
【００３３】
また、制御部１００は、紫外線光源５１，５１から紫外線を発生させるように紫外線照射装置５，５を制御するようになっている。
【００３４】
さらに、制御部１００には、画像記録条件等を入力する入力部１１及び記録ヘッド４が接続されており、制御部１００は、入力部１１から入力された所定の信号に基づいて記録ヘッド４，４…の圧電素子（図示せず）に対して所定の電圧を印加し、記録媒体Ｐ上に所定の画像を形成するように記録ヘッド４，４…を制御するようになっている。
【００３５】
また、制御部１００には、紫外線照射装置５，の温度を検知する温度センサ７，７が接続されており、制御部１００は、温度センサ７，７により検知された紫外線照射装置５，の温度情報に基づいて紫外線照射装置５，５の温度を一定に保つようにペルチェ素子６，６に電圧を印加するようになっている。
【００３６】
ここで、本実施形態に用いられるインクは、紫外線を照射することによって硬化する特性を有する紫外線硬化型のインクである。
紫外線硬化型のインクは、重合性化合物として、ラジカル重合性化合物を含むラジカル重合系インクとカチオン重合性化合物を含むカチオン重合系インクとに大別されるが、本実施形態に用いられるインクとしてはその両系のインクがそれぞれ適用可能であり、また、ラジカル重合系インクとカチオン重合系インクとを複合させたハイブリッド型インクを本実施形態に用いられるインクとして適用してもよい。
しかしながら、カチオン重合系インクは、酸素による重合反応の阻害作用が少ない又は無いため、機能性、汎用性に優れており、本実施形態に用いられるインクとしては、特に、カチオン重合系インクを用いることが好ましい。
【００３７】
次に、本実施の形態の作用について説明する。
入力部１１から画像記録を開始する旨の信号が入力されると、画像記録動作が開始され、画像を形成しようとする記録媒体Ｐがプラテン１０の上に搬送される。記録媒体Ｐが所定の位置に搬送されると、制御部１００の制御により、入力部１１から入力された所定の画像信号に基づいて記録ヘッド４，４…に設けられた圧電素子に電圧が印加され、記録ヘッド４，４…のノズル４１，４１…からインクが吐出される。
【００３８】
このとき、制御部１００の制御により、キャリッジ駆動機構１２が作動し、キャリッジ２が記録媒体Ｐの上方を主走査方向Ｘに往復移動するとともに、吐出されたインクが順次記録媒体Ｐに着弾する。
また、ノズル４１，４１…からインクが吐出される際、制御部１００がキャリッジ２に設けられた紫外線照射装置５，５を制御することにより紫外線光源５１，５１が点灯する。同時に温度センサ７，７が紫外線照射装置５，５の温度を検知し、この温度情報は制御部１００に伝達される。制御部１００は、温度センサ７，７からの情報に基づきペルチェ素子６，６に電圧を印加し、必要に応じて紫外線照射装置５，５の冷却を行うように制御する。
紫外線光源５１，５１を点灯させたままキャリッジ２が記録媒体Ｐの上方を主走査方向Ｘに往復移動することにより、記録媒体Ｐに着弾したインクに対して紫外線光源５１，５１から紫外線が照射され、インクが硬化する。
【００３９】
そして、制御部１００が記録媒体搬送機構１３を制御することによって、記録媒体Ｐが副走査方向Ｙに搬送され、画像が記録媒体Ｐに記録される。
【００４０】
本実施の形態によれば、冷却装置としてのペルチェ素子６，６を紫外線照射装置５１，５１に直接接するように設けるため、紫外線照射装置５，５を効率よく冷却することができ、紫外線照射装置５，５内の紫外線光源５１，５１の温度の上昇による紫外線光源５１，５１の寿命の低下及び紫外線光量の変化を抑制することができる。
【００４１】
また、冷却装置としてペルチェ素子６，６を用いるので、紫外線照射装置の温度変化に応じた温度制御を行うことができ、紫外線照射装置５，５の温度を一定に保ち、紫外線光源５１，５１から照射される紫外線光量の安定化等を図ることができる。
【００４２】
本実施形態では、プリンタは、キャリッジ２に搭載された記録ヘッド４，４…を主走査方向Ｘに往復移動させるとともに、記録媒体Ｐを主走査方向に直交する副走査方向に搬送させながら、記録ヘッド４，４…からインクを吐出させて、画像を形成するシリアルプリント方式のインクジェットプリンタとしたが、プリンタはこの方式に限定されるものではなく、プリンタ本体に固定された記録ヘッド４，４…からインクを吐出させるとともに、記録媒体Ｐを搬送させて、画像を形成するラインプリント方式のプリンタとしてもよい。
【００４３】
また、本実施の形態においては、冷却装置としてペルチェ素子６，６を用いるものとしたが、冷却装置は紫外線照射装置５，５に直接接して紫外線照射装置５，５を安定的に冷却することができるものであればペルチェ素子６，６に限られず、例えば、ヒートシンク等の放熱部材や冷却ファン等を紫外線照射装置５，５に接して設けるようにしてもよい。
【００４４】
さらに、本実施の形態においては、紫外線光源５１，５１が蛍光管の場合について説明したが、紫外線光源５１，５１はインクを硬化させることのできるものであればこれに限定されるものではなく、この紫外線光源５１，５１としては、ＬＥＤ素子や高圧水銀ランプ、メタルハライドランプ、熱陰極管、冷陰極管のうちいずれか一つの光源が用いられる。
【００４５】
例えば、紫外線光源５１，５１としてＬＥＤ素子を用いる場合について、図３を参照しつつ説明する。
紫外線光源５１，５１としてＬＥＤ素子を用いる場合には、紫外線照射装置５，５は、アルミ等によって形成された基板状の光源保持部材５２，５２を有しており、光源保持部材５２，５２の長手方向に沿った両側には、紫外線光源５１，５１からの光が拡散するのを防止するためのカバー部材５４，５４が設けられている。カバー部材５４，５４の一面であって光源保持部材５２，５２に接する面には、紫外線光源５１，５１から拡散して照射された紫外線を反射させ、集光させる光源集光部材５３，５３が設けられている。
前記光源保持部材５２，５２の上であって記録媒体Ｐに対向する面には記録ヘッド４，４…の長手方向に沿って２列にＬＥＤ素子が配置されている。
また、光源保持部材５２，５２の上であってＬＥＤ素子が配置されている面と反対の面にはペルチェ素子６，６が配設されており、光源保持部材５２，５２の一端にはＬＥＤ素子が発光することによる光源保持部材５２，５２の温度の上昇を検知するための温度センサ７，７が設けられている。
【００４６】
次に、紫外線光源５１，５１として高圧水銀ランプを用いる場合について、図４を参照しつつ説明する。
紫外線光源５１，５１として高圧水銀ランプを用いる場合には、紫外線照射装置５，５は、箱型に形成された光源保持部材５２，５２を有しており、この光源保持部材５２，５２は、光源保持部材５２，５２の内側に記録媒体Ｐに対して開口するドーム状の光源集光部材５３，５３を有している。光源集光部材５３，５３のほぼ中央には、記録媒体Ｐに対向するように高圧水銀ランプが保持されている。
前記光源保持部材５２，５２の上であって高圧水銀ランプを保持する面の反対面には、ペルチェ素子６，６が配設されており、ペルチェ素子６，６の近傍には、光源保持部材５２，５２の温度を検知する温度センサ７，７が設けられている。
【００４７】
また、本実施形態では、紫外線の照射により硬化するインクを用いたが、必ずしもこれには限定されず、紫外線以外の光を照射することにより硬化するものであってもよい。ここでいう「光」とは、広義の光であって、紫外線、電子線、Ｘ線、可視光線、赤外線等の電磁波を含むものである。すなわち、インクには、紫外線以外の光で重合して硬化する重合性化合物と、紫外線以外の光で重合性化合物同士の重合反応を開始させる光開始剤とが適用されてもよい。
紫外線以外の光で硬化する光硬化型のインクを用いる場合は、紫外線光源５１，５１に代えて、その光を照射する光源を適用する。
【００４８】
【発明の効果】
以上説明したように、請求項１に記載された発明は、冷却装置を光照射装置に直接接するように設けて光源を冷却するものであるため、プリンタの使用環境や印刷動作の速度等によって冷却の効果が左右されることがなく、光照射装置の温度を一定の保つことができる。
これにより、光照射装置の温度の上昇による光源の寿命の低下や光の照度の低下等が生じることを防止することができるので、連続して画像記録を行う場合でもインクに対して安定した光量の光を照射でき、安定してインクを硬化させ高品質の画像記録を行うことができるという効果がある。
【００４９】
また、請求項２に記載の発明によれば、光照射装置を冷却する冷却装置としてペルチェ素子を用いるので、光照射装置の温度に応じて温度制御を行うことができる。
これにより、精度の高い温度管理が可能となり、光照射装置の発熱による光源の寿命の低下や照度の低下等を効果的に防止して、安定した画像記録を行うことができるという効果がある。
【００５０】
また、請求項３に記載の発明は、光源保持部材が光源集光部材を有しているので、光源から照射された光が拡散するのを防止することができるという効果がある。
【００５１】
また、請求項４に記載の発明は、光源保持部材が光源集光部材である構成をとるので、装置構造を簡素化することができ、光照射装置を搭載するキャリッジの軽量化を図ることができるという効果がある。
【００５２】
さらに、請求項５に記載の発明は、紫外線を照射することによって硬化する特性を有するインクを使用するため、透明又は不透明の包装材に対しても簡易に高品質の印刷を行うことが可能である。そして、このようなインクを用いる場合にはインクに対して紫外線を照射するための紫外線光源が必要となり、紫外線光源の光量を一定に保ってインクを安定的に硬化させることが要請されるが、請求項４に記載の発明によれば、連続して画像記録を行った場合でも紫外線照射装置の温度の上昇を抑えることができ、安定して高品質の画像記録を行うことができるという効果がある。
【００５３】
また、請求項６に記載の発明は、低照度の紫外線を照射することにより記録媒体上に硬化、定着させることのできるカチオン重合系のインクを用いるものであり、カチオン重合系のインクを用いる場合には、照射される光量のわずかな変化によってもインク硬化の度合いが影響を受けやすい。そのため、紫外線照射装置の発熱による紫外線光源の寿命の低下や照度の低下は、特に問題となるが、請求項５に記載の発明によれば、紫外線照射装置を精度よく冷却することによって紫外線照射装置の温度を一定に保ち、安定した紫外線照射を可能とするため、カチオン重合系のインクを用いる場合でも安定した画像記録を行うことができるという効果がある。
【図面の簡単な説明】
【図１】本発明に係るインクジェットプリンタの一実施形態を模式的に示す正面図である。
【図２】図２（ａ）は、本発明に係るインクジェットプリンタの紫外線照射装置、冷却装置及び温度センサの一実施形態を示した斜視図である。図２（ｂ）は、図２（ａ）に示した紫外線照射装置、冷却装置及び温度センサの正面図である。
【図３】本発明に係るインクジェットプリンタの一実施形態の構成を示すブロック図である。
【図４】本発明に係るインクジェットプリンタの紫外線照射装置、冷却装置及び温度センサの一実施形態を示した正面図である。
【図５】本発明に係るインクジェットプリンタの紫外線照射装置、冷却装置及び温度センサの一実施形態を示した正面図である。
【符号の説明】
１  インクジェットプリンタ
２  キャリッジ
３  ガイドレール
４  記録ヘッド
４１  ノズル
５  紫外線照射装置
５１  紫外線光源
５２  光源保持部材
５３  光源集光部材
６  ペルチェ素子
７  温度センサ
１２  キャリッジ駆動機構
１３  記録媒体搬送機構
１００  制御部
Ｐ  記録媒体
Ｘ  主走査方向
【図１】
2004237603.tif 000003
【図２】
2004237603.tif 000004
【図３】
2004237603.tif 000005
【図４】
2004237603.tif 000006
【図５】
2004237603.tif 000007